(57)【要約】【課題】  配線等の工事の際にケーブルなどの長尺体の周りを覆うことができ、壁部の完成後に作業が必要とならない貫通部耐火部材及び当該貫通部耐火部材を用いた壁貫通部施工方法を提供する。【解決手段】貫通部耐火部材１は、本体部６と、本体部の内周面に環状に設けられる熱膨張部材７と、本体部６及び熱膨張部材７の内側に設けられ、少なくとも貫通孔４に配線又は配管される長尺体１３を保持可能な柔軟性を有する発泡体８と、を備え、本体部６は、周方向の一部にの軸方向に沿って切断される切れ部１０が形成されるとともに、前記熱膨張部材７、前発泡体８のそれぞれ周方向の一部に軸方向に沿って切断された割り部１４が形成されており、本体部６の当該切れ部１０を挟んで両側部１２ａ，１２ｂには互いに係止及び離反可能な係止手段１１が設けられる。【選択図】図２
2018107951.tif 000002
【特許請求の範囲】
【請求項１】
２つの壁面体を互いに間隔を開けて配置した壁部に形成される貫通孔に設けられる貫通部耐火部材であって、
鋼製で略筒状に形成され前記貫通孔の長さよりも長尺な本体部と、
前記本体部の内周面に環状に設けられる熱膨張部材と、
前記本体部及び前記熱膨張部材の内側に設けられ、少なくとも前記貫通孔に配線又は配管される長尺体を保持可能な柔軟性を有する発泡体と、
を備え、
前記本体部は、周方向の一部に当該本体部の軸方向に沿って切断される切れ部が形成されるとともに、
前記熱膨張部材、前記発泡体のそれぞれ周方向の一部には、当該切れ部と整合する位置に前記本体部の軸方向に沿って切断された割り部が形成されており、
前記本体部の当該切れ部を挟んで両側部には互いに係止及び離反可能な係止手段が設けられることを特徴とする貫通部耐火部材。
【請求項２】
前記本体部は軸方向の両端にフランジが形成されることを特徴とする請求項１に記載の貫通部耐火部材。
【請求項３】
前記係止手段は、前記本体部の前記切れ部を挟んで一方の側部に設けられる係止孔と、他方の側部に設けられ当該係止孔に引っ掛かる係止爪とを有することを特徴とする請求項１又は請求項２に記載の貫通部耐火部材。
【請求項４】
請求項１から請求項３のいずれかに記載の貫通部耐火部材を用いる長尺体の壁貫通部施工方法であって、
前記壁面体は、複数の板体を面一に並べて形成されるものであり、
互いに隣接する２枚の前記板体の側縁には、それぞれ半円状の切り欠きが形成されており、
前記長尺体を配線又は配管する配設工程と、
前記長尺体を前記貫通部耐火部材に挿通させる挿通工程と、
前記長尺体が挿通された前記貫通部耐火部材を前記板体の前記切り欠きで挟んで前記壁面体を形成する壁面形成工程と、
を備えることを特徴とする長尺体の壁貫通部施工方法。
【請求項５】
前記挿通工程は、前記切れ部及び前記割り部を広げて間隙を形成し、当該間隙から前記貫通部耐火部材に前記長尺体を挿入することを特徴とする請求項４に記載の長尺体の壁貫通部施工方法。
【発明の詳細な説明】
【技術分野】
【０００１】
本発明は、空間を隔てる被貫通部材に配管やケーブルなどの長尺体を貫通するための貫通孔の耐火性能を確保するための貫通部耐火部材及び当該貫通部耐火部材を用いた耐火施工方法に関するものである。
【背景技術】
【０００２】
建造物の空間を隔てる耐火構造の壁部には、各種の配管やケーブルなどの長尺体を各空間に導入するための貫通孔が設けられる。したがって、例えば一方の空間で火災が発生すると、貫通孔を通過して、火災が建造物全体に広がり、甚大な被害をもたらすおそれがある。
【０００３】
そこで、例えば、このような壁部を貫通する貫通孔の耐火構造としては、例えば、貫通孔に挿入される配線又は配管の周りと貫通孔の周りとを塞ぐように熱膨張テープを貼り付ける方法が知られている（例えば特許文献１）。また、ＲＣの壁部の貫通孔に鋼製スリーブを装着して、当該鋼製スリーブの両端に熱膨張性材料からなるブッシングを取り付ける方法も知られている（例えば特許文献２）。
【０００４】
これらの方法によると、一方の空間で火災が発生しても、熱膨張テープ又は熱膨張性材料からなるブッシングが貫通孔を塞ぐので火災が壁部内部や隣の空間に延焼することを防止できる。
【先行技術文献】
【特許文献】
【０００５】
【特許文献１】特開２００６−１４９０７９号公報
【特許文献２】特開２０１６−１７２９９７号公報
【発明の概要】
【発明が解決しようとする課題】
【０００６】
ところで、例えば木造や鉄骨造の住宅や共同住宅においては、躯体完成後、界壁や間仕切壁等の壁部の完成前に配線等の工事が行われる場合が多い。特許文献１のように、貫通孔の周り及び当該貫通孔に挿入される配線等の周りに熱膨張テープを貼り付ける工法においては、配線等の工事が終わった後、壁部の工事を行い、その後、熱膨張テープで配線周りを補修する作業を行う必要があるので、配線等の施工を行う設備工は、配線等の工事の後、壁部が完成するまでの間現場を離れ、壁部の完成後再び現場に戻って熱膨張テープの貼り付け作業を行う必要がある。また、タイミングによっては、天井の石膏ボードが固定されてしまうと、壁部の天井懐内に設けられた貫通孔にアクセスできなくなるため工事が熱膨張テープの貼り付け作業ができなくなる問題もある。また、耐火性能を確保するために熱膨張テープは隙間無く貼り付ける必要があるが、現場での施工となるので確実に不備なく貼り付けることは難しい。
【０００７】
また、特許文献２のように、ＲＣの壁部の貫通孔に鋼製スリーブを装着する工法は、コンクリートの打設によって壁部と貫通孔とが同時に完成するので、壁部の完成前に配線等の工事を行うことはできず、上述のような界壁や間仕切壁等の壁部の完成前に配線等の工事を行う場合には、このような工法は採用できない。
【０００８】
そこで本発明は、壁部の完成前に配線等の工事が行われる場合にも用いることができる貫通部耐火部材及び壁貫通部施工方法であって、配線等の工事の際にケーブルなどの長尺体の周りを覆うことができ、壁部の完成後に作業が必要とならない貫通部耐火部材及び当該貫通部耐火部材を用いた壁貫通部施工方法を提供することを目的とする。
【課題を解決するための手段】
【０００９】
本発明の貫通部耐火部材は、２つの壁面体を互いに間隔を開けて配置した壁部に形成される貫通孔に設けられる貫通部耐火部材であって、鋼製で略筒状に形成され前記貫通孔の長さよりも長尺な本体部と、前記本体部の内周面に環状に設けられる熱膨張部材と、前記本体部及び前記熱膨張部材の内側に設けられ、少なくとも前記貫通孔に配線又は配管される長尺体を保持可能な柔軟性を有する発泡体と、を備え、前記本体部は、周方向の一部に当該本体部の軸方向に沿って切断される切れ部が形成されるとともに、前記熱膨張部材、前記発泡体のそれぞれ周方向の一部には、当該切れ部と整合する位置に前記本体部の軸方向に沿って切断された割り部が形成されており、前記本体部の当該切れ部を挟んで両側部には互いに係止及び離反可能な係止手段が設けられることを特徴としている。
【００１０】
本発明の貫通部耐火部材は、前記本体部は軸方向の両端にフランジが形成されることを特徴としている。
【００１１】
本発明の貫通部耐火部材は、前記係止手段は、前記本体部の前記切れ部を挟んで一方の側部に設けられる係止孔と、他方の側部に設けられ当該係止孔に引っ掛かる係止爪とを有することを特徴としている。
【００１２】
本発明の長尺体の壁貫通部施工方法は、上記いずれかの貫通部耐火部材を用いる長尺体の壁貫通部施工方法であって、前記壁面体は、複数の板体を面一に並べて形成されるものであり、互いに隣接する２枚の前記板体の側縁には、それぞれ半円状の切り欠きが形成されており、前記長尺体を配線又は配管する配設工程と、前記長尺体を前記貫通部耐火部材に挿通させる挿通工程と、前記長尺体が挿通された前記貫通部耐火部材を前記板体の切り欠きで挟んで壁面体を形成する壁面形成工程と、を備えることを特徴とする長尺体の壁貫通部施工方法。
【００１３】
本発明の長尺体の壁貫通部施工方法は、前記挿通工程は、前記切れ部及び割り部を広げて間隙を形成し、当該間隙から前記貫通部耐火部材に前記長尺体を挿入することを特徴としている。
【発明の効果】
【００１４】
本発明の貫通部耐火部材によると、２つの壁面体を互いに間隔を開けて配置した壁部に形成される貫通孔に貫通部耐火部材は設けられている。貫通部耐火部材は、鋼製の略筒状であり、貫通孔の長さよりも長尺である本体部を有しているので、２つの壁面体からなる壁部に形成される貫通孔に挿入した状態で固定することができる。貫通部耐火部材は、本体部の内周面に環状に設けられる熱膨張部材と、本体部及び熱膨張部材の内側に設けられ、少なくとも貫通孔に配線又は配管される長尺体を保持可能な柔軟性を有する発泡体と、を備えているので、壁部によって隔てられた一方の空間に火災が発生した場合でも熱膨張部材によって貫通孔を閉じることができ、貫通孔の耐火性能を確保することができる。また、本体部は、周方向の一部に本体部の軸方向に沿って切断される切れ部が形成されているとともに、熱膨張部材及び発泡体のそれぞれ周方向の一部には、切れ部と整合する位置に本体部の軸方向に沿って切断された割り部が形成されているので、貫通部耐火部材に長尺体を端部から挿入するのではなく、切れ部及び割り部を広げて間隙を形成し、この間隙を通して長尺体を貫通部耐火部材の内部に挿入することができ、簡単に当該貫通部耐火部材で長尺体の貫通孔に挿通する部分の外周を覆うことができる。そして、本体部の切れ部を挟んで両側部には互いに係止及び離反可能な係止手段が設けられているので、長尺体を貫通部耐火部材の内部に挿入した後、係止手段により本体部の両側部を互いに係止することで、長尺体が貫通部耐火部材に挿入された状態で切れ部を閉じることができ、壁部が完成して貫通孔に貫通部耐火部材が固定されるまでの間に、長尺体から貫通部耐火部材が脱落することを防止することができる。
【００１５】
本発明の貫通部耐火部材によると、本体部は軸方向の両端にフランジが形成されるので、貫通部耐火部材が貫通孔に固定された後、長尺体を本体部の軸方向の差込方向または引抜方向へ移動させる場合であっても、フランジが壁面体に引っ掛かるので、貫通孔から貫通部耐火部材が脱落することを防止できる。
【００１６】
本発明の貫通部耐火部材によると、係止手段は、本体部の切れ部を挟んで一方の側部に設けられる係止孔と、他方の側部に設けられ係止孔に引っ掛かる係止爪とを有するので、長尺体を貫通部耐火部材の内部に挿入した後、側部同士を重ね合わせて係止孔に係止爪を引っ掛けることで簡単に係止することができ、長尺体から貫通部耐火部材が脱落することを防止することができる。
【００１７】
本発明の長尺体の壁貫通部施工方法によると、壁面体が複数の板体を面一に並べて形成されるものであり、互いに隣接する２枚の板体の側縁に、それぞれ半円状の切り欠きが形成されており、長尺体が挿通された貫通部耐火部材を板体の切り欠きで挟んで壁面体を形成するので、貫通部耐火部材を容易且つ確実に壁面体の貫通孔に固定することができる。
【００１８】
本発明の長尺体の壁貫通部施工方法によると、挿通工程は、切れ部及び割り部を広げて間隙を形成し、当該間隙から貫通部耐火部材に長尺体を挿入するので、簡単に長尺体を貫通部耐火部材に挿入することができる。
【図面の簡単な説明】
【００１９】
【図１】貫通部耐火部材の全体構成を示す断面図。
【図２】貫通部耐火部材の全体構成を示す斜視図。
【図３】貫通部耐火部材の本体部の切れ部を広げて間隙を形成した状態を示す斜視図。
【図４】（Ａ）は、本体部の係止孔が設けられている一方の側部と、係止爪が設けられている他方の側部とが重なるように本体部を弾性変形させた状態を示す一部省略断面図、（Ｂ）は、係止爪を係止孔に係止して本体部を円筒状に保持した状態を示す一部省略断面図。
【図５】長尺体を貫通部耐火部材に挿通させる挿通工程を示す図。
【図６】挿通工程を完了し、本体部の係止爪を係止孔に係止した状態を示す図。
【図７】長尺体が挿通された貫通部耐火部材の周りに壁面体を形成する前の状態を示す図。
【図８】長尺体が挿通された貫通部耐火部材を板体の切り欠きで挟んで壁面形成工程を完了した状態を示す斜視図。
【図９】長尺体が挿通された貫通部耐火部材を板体の切り欠きで挟んで壁面形成工程を完了した状態を示す断面図。
【図１０】貫通部耐火部材を用いてＲＣのコンクリート壁を設ける方法であり、コンクリートを打設する前の状態を示す断面図。
【図１１】貫通部耐火部材を用いてＲＣのコンクリート壁を設ける方法であり、コンクリートを打設した状態を示す断面図。
【図１２】貫通部耐火部材を用いてＲＣのコンクリート壁を設ける方法であり、コンクリートを打設・養生した後、型枠を外した状態を示す断面図。
【図１３】貫通部耐火部材を用いてＲＣのコンクリート壁を設ける方法であり、コンクリート壁の完成後、長尺体を貫通部耐火部材の内側に挿入した状態を示す図。
【発明を実施するための形態】
【００２０】
以下、本発明に係る貫通部耐火部材１の最良の実施形態について各図を参照しつつ説明する。貫通部耐火部材１は、図８及び図９に示すように、２つの壁面体２を互いに間隔を開けて配置した壁部３に形成される貫通孔４に設けられ、当該貫通孔４の耐火性能を確保する部材である。壁部３は例えば集合住宅の界壁であり、耐火性を有する石膏ボードの板体５で構成された２つの壁面体２を図示しない壁下地に固定して形成している。なお壁部３は、集合住宅の界壁に限定されるものではなく、例えば間仕切り壁であっても良い。
【００２１】
貫通部耐火部材１は、図１に示すように、略筒状の本体部６と、本体部６の内周面に環状に設けられる熱膨張部材７と、本体部６及び熱膨張部材７の内側に設けられる発泡体８と、を備えている。
【００２２】
本体部６は、耐火性を有する薄い鋼板を略円筒状に成形したものである。本体部６はその両端にそれぞれフランジ９が形成されている。本体部６の軸方向の長さは、壁部３の厚さよりも長い。すなわち、本体部６の軸方向の長さは壁部３を貫通する貫通孔４の長さよりも長い。例えば壁部３の厚さが複数設定されている場合には、本体部６の軸方向の長さは最も厚い壁部３の厚さよりも長く形成されている。このように構成することで、いずれの厚さの壁部３が配置される場合であっても貫通部耐火部材１を壁部３に形成された貫通孔４に固定することができる。
【００２３】
本体部６には、図２及び図３に示すように、周方向の一部に当該本体部６の軸方向に沿って切断される切れ部１０が形成されており、切れ部１０を開いた場合に本体部６は側面視Ｃ字状となる。本体部６の切れ部１０を挟んで両側部１２ａ，１２ｂには互いに係止及び離反可能な係止手段１１が形成されている。係止手段１１は、図４に示すように、本体部６の切れ部１０を挟んで一方の側部１２ａに設けられる係止孔１１ａと、他方の側部１２ｂに設けられる係止爪１１ｂとを有している。両側の側部１２ａ，１２ｂのうち、一方の側部１２ａが径方向外側に配置され、他方の側部１２ｂが径方向内側に配置されて重ね合わせられる。係止爪１１ｂは係止孔１１ａに挿入されて、当該係止孔１１ａに係止されるように形成されており、係止爪１１ｂが係止孔１１ａに係止されることによって、本体部６の切れ部１０の間隙が閉じて、本体部６は円筒状となる。そして、係止爪１１ｂが係止孔１１ａに係止されて切れ部１０の間隙が閉じた状態のときに本体部６の径は貫通孔４の径と略等しくなる。
【００２４】
熱膨張部材７は、本体部６を切れ部１０の隙間を閉じた状態で当該本体部６の内周面の全周にわたって環状に形成されている。熱膨張部材７は、火災時等の熱によって膨張するものである。そして、本体部６および熱膨張部材７の内側には、発泡体８が収容される。発泡体８は、例えばウレタン発泡体であり、難燃性スポンジであることが望ましい。発泡体８は、内周側に凹凸形状を有しており、貫通部耐火部材１の内側に長尺体１３を挿入した場合に、発泡体８が当該長尺体１３の形状に応じて容易に変形し長尺体１３を支持することができる形状である。発泡体８の形状はこれに限定されるものではなく、長尺体１３を挿入したときに長尺体１３をほとんど隙間無く保持することができる形状であれば如何なる形状であってもよい。
【００２５】
熱膨張部材７及び発泡体８は本体部６の軸方向に沿ってそれぞれの周方向の一部に、本体部６の切れ部１０と整合する割り部１４が形成されている。本体部６の切れ部１０を挟んで両側部１２ａ，１２ｂのうち、係止孔１１ａが形成された一方の側部１２ａの径方向内側には当該係止孔１１ａを塞がないように、熱膨張部材７及び発泡体８の端縁が切り欠けており、係止爪１１ｂが形成された他方の側部１２ｂの径方向内側には熱膨張部材７及び発泡体８の端縁が当該他方の側部１２ｂの縁と整合する位置まで延びている。
【００２６】
図３に示すように本体部６の切れ部１０を開いた状態で、図４（Ａ）に示すように、本体部６の係止孔１１ａが設けられている一方の側部１２ａと、係止爪１１ｂが設けられている他方の側部１２ｂとが重なるように当該本体部６を弾性変形させる。そして、図４（Ｂ）に示すように、係止爪１１ｂを係止孔１１ａに係止して本体部６を円筒状に保持する。このとき、熱膨張部材７及び発泡体８はそれぞれの端縁同士が当接して、本体部６の内周面の全周にわたって環状に配置される。
【００２７】
つぎに、以上のように構成される貫通部耐火部材１を用いて長尺体１３を壁部３の貫通孔４に挿通する長尺体の壁貫通部施工方法について説明する。壁貫通部施工方法は、長尺体１３を配線又は配管する配設工程と、長尺体１３を貫通部耐火部材１に挿通させる挿通工程と、長尺体１３が挿通された貫通部耐火部材１が貫通孔４に配置されるように壁面体２を形成する壁面形成工程と、を備えている。
【００２８】
配設工程は、設備工事として行われる工程であり、例えば電気ケーブルの配線や空調、上下水道などの配管を行う工程である。この工程は、少なくとも壁部３に設けられる貫通孔４に挿通される長尺体１３を配線又は配管するものであれば、上記に限られるものではない。
【００２９】
挿通工程は、図５に示すように、本体部６の切れ部１０及び熱膨張部材７及び発泡体８の割り部１４を広げて間隙を形成し、当該間隙から貫通部耐火部材１に長尺体１３を挿入する工程である。このように切れ部１０及び割り部１４を広げて長尺体１３を挿入することで、貫通部耐火部材１に長尺体１３を端部から挿入する場合に比べて、極めて簡単に当該貫通部耐火部材１で長尺体１３の貫通孔４に挿通する部分の外周を覆うことができる。貫通部耐火部材１に長尺体１３を挿入すると、図４（Ａ）に示すように、本体部６の係止孔１１ａが設けられている一方の側部１２ａと、係止爪１１ｂが設けられている他方の側部１２ｂとが重なるように当該本体部６を弾性変形させ、図４（Ｂ）及び図６に示すように、係止爪１１ｂを係止孔１１ａに係止して本体部６を円筒状に保持する。このように、係止爪１１ｂと係止孔１１ａとで構成される係止手段１１によって、簡単に本体部６の切れ部１０を閉じることができ、長尺体１３から貫通部耐火部材１が脱落することを防止することができる。
【００３０】
挿通工程を完了すると、設備工事は終了し、次に界壁、間仕切壁、天井、床などを設置する工程が行われる。壁部３を構成する壁面体２は、図７及び図８に示すように、それぞれ複数の板体５を面一に並べて形成されるものである。そして、互いに隣接する２枚の板体５の側縁に、それぞれ半円状の切り欠き１５が形成されており、半円の切り欠き１５同士が整合するように板体５を並べて図示しない壁下地に貼り付けることで、円形孔１６が設けられる。２つの壁面体２には互いに整合する位置に円形孔１６が設けられており、これら２つの円形孔１６によって壁部３の貫通孔４が形成されている。
【００３１】
壁面形成工程は、挿通工程において長尺体１３の外周を覆うように配置された貫通部耐火部材１を、図７に示すように、壁面体２を構成する隣接する板体５の切り欠き１５で挟むことで、図８及び図９に示すように、長尺体１３が挿通された貫通部耐火部材１が貫通孔４に配置されるとともに、２つの壁面体２によって壁部３が形成される。
【００３２】
このように本実施形態の長尺体の壁貫通部施工方法によると、広げた切れ部１０及び割り部１４の間隙から貫通部耐火部材１に長尺体１３を挿入するので、簡単に長尺体１３を貫通部耐火部材１に挿入することができる。また、互いに隣接する２枚の板体５の切り欠き１５で、長尺体１３が挿通された貫通部耐火部材１を挟んで壁面体２を形成するので、貫通部耐火部材１を容易且つ確実に壁面体２の貫通孔４に固定することができる。そして、壁面形成工程には設備工を必要としないので、配設工程及び挿通工程後には設備工が現場に戻る必要がない。しかも、本体部６の内周面側に熱膨張部材７及び発泡体８が取り付けられており、且つ、本体部６が簡単に長尺体１３に固定できる構成であるので施工不良が発生することを防止でき、貫通孔４が設けられた部分の耐火性能を確保することができる。
【００３３】
なお、本実施形態の貫通部耐火部材１は、２つの壁面体２を互いに間隔を開けて配置した壁部３に形成される貫通孔４に設けられた場合に、当該貫通孔４の耐火性能を確保することができる部材であるが、それに限られるものではなく、例えばＲＣ等のコンクリート壁１８に貫通孔４を設ける場合にも貫通部耐火部材１を用いて、貫通孔４の耐火性能を確保することができる。
【００３４】
ＲＣのコンクリート壁１８に貫通部耐火部材１を用いる場合には、図１０に示すように、２枚の型枠１７を設置するとともに、型枠１７の間における貫通孔４を設置する予定箇所に貫通部耐火部材１を架設する。そして、図１１に示すように、型枠１７内にコンクリートを打設し、養生した後、図１２に示すように、型枠１７を取り外して、貫通孔４が設けられたコンクリート壁１８を完成させる。そして、その後、貫通部耐火部材１の内側に長尺体１３を通して配線する。
【００３５】
このように、コンクリート壁１８を打設する際に、貫通孔４を設ける位置にボイド管の代わりに貫通部耐火部材１を用いることで、貫通孔４の耐火性能を確保しつつ、簡単に施工することができる。
【００３６】
なお、本発明の実施の形態は上述の形態に限ることなく、本発明の思想の範囲を逸脱しない範囲で適宜変更することができることは云うまでもない。
【産業上の利用可能性】
【００３７】
本発明に係る貫通部耐火部材１及び壁貫通部施工方法は、例えば集合住宅の界壁に設けられる貫通孔４の耐火性能を確保する部材及び方法として、好適に用いることができる。
【符号の説明】
【００３８】
１      貫通部耐火部材
２      壁面体
３      壁部
４      貫通孔
５      板体
６      本体部
７      熱膨張部材
８      発泡体
９      フランジ
１０    切れ部
１１    係止手段
１１ａ  係止孔
１１ｂ  係止爪
１２ａ  一方の側部
１２ｂ  他方の側部
１３    長尺体
１４    割り部
１５    切り欠き
【図１】
2018107951.tif 000003
【図２】
2018107951.tif 000004
【図３】
2018107951.tif 000005
【図４】
2018107951.tif 000006
【図５】
2018107951.tif 000007
【図６】
2018107951.tif 000008
【図７】
2018107951.tif 000009
【図８】
2018107951.tif 000010
【図９】
2018107951.tif 000011
【図１０】
2018107951.tif 000012
【図１１】
2018107951.tif 000013
【図１２】
2018107951.tif 000014
【図１３】
2018107951.tif 000015
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
２つの壁面体を互いに間隔を開けて配置した壁部に形成される貫通孔に設けられる貫通部耐火部材であって、
鋼製で軸方向の両端にフランジが一体に形成された略筒状に形成され前記貫通孔の長さよりも長尺な本体部と、
前記本体部の内周面に環状に設けられる熱膨張部材と、
前記本体部及び前記熱膨張部材の内側に設けられ、少なくとも前記貫通孔に配線又は配管される長尺体を保持可能な柔軟性を有し、内周側に凹凸形状を有する発泡体と、
を備え、
前記本体部は、周方向の一部に当該本体部の軸方向に沿って切断される切れ部が形成されるとともに、
前記熱膨張部材、前記発泡体のそれぞれ周方向の一部には、当該切れ部と整合する位置に前記本体部の軸方向に沿って切断された割り部が形成されており、
前記本体部の当該切れ部を挟んで両側部には互いに係止及び離反可能な係止手段が設けられ、当該係止手段は、前記本体部の前記切れ部を挟んで一方の側部に設けられる係止孔と、他方の側部に設けられ当該係止孔に引っ掛かる係止爪とを有するものであり、
前記壁部は複数の厚さが設定されているとともに、前記本体部は最も厚い壁部の厚さよりも長いことを特徴とする貫通部耐火部材。
【請求項２】
２つの壁面体を互いに間隔を開けて配置した壁部に形成される貫通孔に設けられる貫通部耐火部材であって、
鋼製で略筒状に形成され前記貫通孔の長さよりも長尺な本体部と、
前記本体部の内周面に環状に設けられる熱膨張部材と、
前記本体部及び前記熱膨張部材の内側に設けられ、少なくとも前記貫通孔に配線又は配管される長尺体を保持可能な柔軟性を有する発泡体と、
を備え、
前記本体部は、周方向の一部に当該本体部の軸方向に沿って切断される切れ部が形成されるとともに、
前記熱膨張部材、前記発泡体のそれぞれ周方向の一部には、当該切れ部と整合する位置に前記本体部の軸方向に沿って切断された割り部が形成されており、
前記本体部の当該切れ部を挟んで両側部には互いに係止及び離反可能な係止手段が設けられる貫通部耐火部材を用いる長尺体の壁貫通部施工方法であって、
前記壁面体は、複数の板体を面一に並べて形成されるものであり、
互いに隣接する２枚の前記板体の側縁には、それぞれ半円状の切り欠きが形成されており、
前記長尺体を配線又は配管する配設工程と、
前記長尺体を前記貫通部耐火部材に挿通させる挿通工程と、
前記長尺体が挿通された前記貫通部耐火部材を前記板体の前記切り欠きで挟んで前記壁面体を形成する壁面形成工程と、
を備えることを特徴とする長尺体の壁貫通部施工方法。
【請求項３】
前記挿通工程は、前記切れ部及び前記割り部を広げて間隙を形成し、当該間隙から前記貫通部耐火部材に前記長尺体を挿入することを特徴とする請求項２に記載の長尺体の壁貫通部施工方法。
【請求項４】
前記本体部は軸方向の両端にフランジが形成されることを特徴とする請求項２又は請求項３に記載の長尺体の壁貫通部施工方法。
【請求項５】
前記係止手段は、前記本体部の前記切れ部を挟んで一方の側部に設けられる係止孔と、他方の側部に設けられ当該係止孔に引っ掛かる係止爪とを有することを特徴とする請求項２から請求項４のいずれかに記載の長尺体の壁貫通部施工方法。
【手続補正２】
【補正対象書類名】明細書
【補正対象項目名】０００９
【補正方法】変更
【補正の内容】
【０００９】
本発明の貫通部耐火部材は、２つの壁面体を互いに間隔を開けて配置した壁部に形成される貫通孔に設けられる貫通部耐火部材であって、鋼製で軸方向の両端にフランジが一体に形成された略筒状に形成され前記貫通孔の長さよりも長尺な本体部と、前記本体部の内周面に環状に設けられる熱膨張部材と、前記本体部及び前記熱膨張部材の内側に設けられ、少なくとも前記貫通孔に配線又は配管される長尺体を保持可能な柔軟性を有し、内周側に凹凸形状を有する発泡体と、を備え、前記本体部は、周方向の一部に当該本体部の軸方向に沿って切断される切れ部が形成されるとともに、前記熱膨張部材、前記発泡体のそれぞれ周方向の一部には、当該切れ部と整合する位置に前記本体部の軸方向に沿って切断された割り部が形成されており、前記本体部の当該切れ部を挟んで両側部には互いに係止及び離反可能な係止手段が設けられ、当該係止手段は、前記本体部の前記切れ部を挟んで一方の側部に設けられる係止孔と、他方の側部に設けられ当該係止孔に引っ掛かる係止爪とを有するものであり、前記壁部は複数の厚さが設定されているとともに、前記本体部は最も厚い壁部の厚さよりも長いことを特徴としている。
【手続補正３】
【補正対象書類名】明細書
【補正対象項目名】００１０
【補正方法】変更
【補正の内容】
【００１０】
本発明の長尺体の壁貫通部施工方法は、２つの壁面体を互いに間隔を開けて配置した壁部に形成される貫通孔に設けられる貫通部耐火部材であって、鋼製で略筒状に形成され前記貫通孔の長さよりも長尺な本体部と、前記本体部の内周面に環状に設けられる熱膨張部材と、前記本体部及び前記熱膨張部材の内側に設けられ、少なくとも前記貫通孔に配線又は配管される長尺体を保持可能な柔軟性を有する発泡体と、を備え、前記本体部は、周方向の一部に当該本体部の軸方向に沿って切断される切れ部が形成されるとともに、前記熱膨張部材、前記発泡体のそれぞれ周方向の一部には、当該切れ部と整合する位置に前記本体部の軸方向に沿って切断された割り部が形成されており、前記本体部の当該切れ部を挟んで両側部には互いに係止及び離反可能な係止手段が設けられる貫通部耐火部材を用いる長尺体の壁貫通部施工方法であって、前記壁面体は、複数の板体を面一に並べて形成されるものであり、互いに隣接する２枚の前記板体の側縁には、それぞれ半円状の切り欠きが形成されており、前記長尺体を配線又は配管する配設工程と、前記長尺体を前記貫通部耐火部材に挿通させる挿通工程と、前記長尺体が挿通された前記貫通部耐火部材を前記板体の前記切り欠きで挟んで前記壁面体を形成する壁面形成工程と、を備えることを特徴としている。
【手続補正４】
【補正対象書類名】明細書
【補正対象項目名】００１１
【補正方法】変更
【補正の内容】
【００１１】
本発明の長尺体の壁貫通部施工方法は、前記切れ部及び前記割り部を広げて間隙を形成し、当該間隙から前記貫通部耐火部材に前記長尺体を挿入することを特徴としている。
【手続補正５】
【補正対象書類名】明細書
【補正対象項目名】００１２
【補正方法】変更
【補正の内容】
【００１２】
本発明の長尺体の壁貫通部施工方法は、前記本体部は軸方向の両端にフランジが形成されることを特徴とする長尺体の壁貫通部施工方法。
【手続補正６】
【補正対象書類名】明細書
【補正対象項目名】００１３
【補正方法】変更
【補正の内容】
【００１３】
本発明の長尺体の壁貫通部施工方法は、前記係止手段は、前記本体部の前記切れ部を挟んで一方の側部に設けられる係止孔と、他方の側部に設けられ当該係止孔に引っ掛かる係止爪とを有することを特徴としている。